(57)【特許請求の範囲】
【請求項１】
集塵部及び電動送風機を内蔵する掃除機本体と、
前記集塵部に設けられたフィルタと、
前記フィルタに付着した塵埃を除去する塵埃除去手段と、
床用吸込具と、
前記掃除機本体と前記床用吸込具とを接続するパイプユニットと、
前記パイプユニットに配設され、把持部と各種の操作スイッチとを備えた操作部と、
前記電動送風機の停止状態において、前記操作スイッチの内、前記電動送風機の動作に直接関係のない所定の操作スイッチが押下されると、前記塵埃除去手段を動作させる制御手段と
を備え、
前記床用吸込具は、回転ブラシ及び前記回転ブラシを回転駆動させる駆動モータを内蔵し、
前記操作スイッチは、前記駆動モータを制御するためのパワーブラシスイッチを備え、
前記制御手段は、前記電動送風機が動作状態において前記パワーブラシスイッチが押下されると前記駆動モータを制御し、前記電動送風機が停止状態において前記パワーブラシスイッチが押下されると前記塵埃除去手段を動作させることを特徴とする電気掃除機。
【請求項２】
集塵部及び電動送風機を内蔵する掃除機本体と、
前記集塵部に設けられたフィルタと、
前記フィルタに付着した塵埃を除去する塵埃除去手段と、
床用吸込具と、
前記掃除機本体と前記床用吸込具とを接続するパイプユニットと、
前記パイプユニットに配設され、把持部と各種の操作スイッチとを備えた操作部と、
前記電動送風機の停止状態において、前記操作スイッチの内、前記電動送風機の動作に直接関係のない所定の操作スイッチが押下されると、前記塵埃除去手段を動作させる制御手段と
を備え、
前記塵埃除去手段を前記電動送風機の動作停止後に自動的に動作させる自動動作モード又は手動により動作させる手動動作モードの何れかが設定される除塵動作モードを備え、
前記制御手段は、前記所定の操作スイッチが押下されると、前記除塵動作モードの設定内容に関係なく、前記塵埃除去手段を動作させることを特徴とする電気掃除機。
【請求項３】
前記制御手段は、前記所定の操作スイッチとして、前記把持部から最も遠い位置にある操作スイッチが押下されると前記塵埃除去手段を動作させることを特徴とする請求項２に記載の電気掃除機。
【請求項４】
集塵部及び電動送風機を内蔵する掃除機本体と、
前記集塵部に設けられたフィルタと、
前記フィルタに付着した塵埃を除去する塵埃除去手段と、
床用吸込具と、
前記掃除機本体と前記床用吸込具とを接続するパイプユニットと、
前記パイプユニットに配設され、把持部と各種の操作スイッチとを備えた操作部と、
前記塵埃除去手段の動作状態において、前記操作スイッチの内、前記電動送風機の動作に直接関係のない所定の操作スイッチが押下されると、前記塵埃除去手段の動作を停止させる制御手段と
を備え、
前記床用吸込具は、回転ブラシ及び前記回転ブラシを回転駆動する駆動モータを内蔵し、
前記操作スイッチは、前記駆動モータを動作させるためのパワーブラシスイッチを備え、
前記制御手段は、
前記電動送風機が動作状態において前記パワーブラシスイッチが押下されると前記駆動モータを制御し、
前記電動送風機が停止状態で、且つ前記塵埃除去手段の動作状態において前記パワーブラシスイッチが押下されると前記塵埃除去手段の動作を停止させることを特徴とする電気掃除機。
【請求項５】
集塵部及び電動送風機を内蔵する掃除機本体と、
前記集塵部に設けられたフィルタと、
前記フィルタに付着した塵埃を除去する塵埃除去手段と、
床用吸込具と、
前記掃除機本体と前記床用吸込具とを接続するパイプユニットと、
前記パイプユニットに配設され、把持部と各種の操作スイッチとを備えた操作部と、
前記塵埃除去手段の動作状態において、前記操作スイッチの内、前記電動送風機の動作に直接関係のない所定の操作スイッチが押下されると、前記塵埃除去手段の動作を停止させる制御手段と
を備え、
前記塵埃除去手段を前記電動送風機の動作停止後に自動的に動作させる自動動作モード又は手動により動作させる手動動作モードの何れかが設定される除塵動作モードを備え、
前記制御手段は、前記塵埃除去手段が動作している状態において、前記所定の操作スイッチが押下されると、前記除塵動作モードの設定内容に関係なく、前記塵埃除去手段の動作を停止させることを特徴とする電気掃除機。
【発明の詳細な説明】
【技術分野】
【０００１】
本発明は、電気掃除機に関し、特に、掃除機本体の集塵部に設けられたフィルタに付着した塵埃を除去する機能を備えた電気掃除機に関するものである。
【背景技術】
【０００２】
従来、この種の電気掃除機として、例えば「電動送風機７の駆動により空気とともに吸い込んだ塵埃を捕集するプリーツフィルタ４８で捕集した塵埃をプリーツフィルタ４８から除去する除去手段５１を設ける。電動送風機７が停止している状態で切ボタンを押した際に、除去手段５１を駆動させる制御手段６１を設ける。電動送風機７が停止している状態で作業者が電動送風機７の切ボタンを押すことで、制御手段６１により任意のタイミングで、かつ容易に除去手段５１を駆動させることができ…る。」（例えば特許文献１参照）というものが提案されている。
【０００３】
【特許文献１】特開２００５−６５７７０号公報（要約、図５）
【発明の開示】
【発明が解決しようとする課題】
【０００４】
上記の特許文献１に記載の電気掃除機は、電動送風機が停止している状態で作業者が電動送風機の切ボタンを押すことで除去手段（塵埃除去手段）を駆動させることができるようにしているが、切ボタンは電動送風機を停止させるための操作スイッチとして利用者には定着しており、切ボタンにより駆動を開始させるというのは、電気掃除機の使い勝手としては違和感があり、また、切ボタンを誤って操作した場合（例えば切ボタンを連打した場合）には使用者の意図に関係なく除塵処理が開始し、使いづらいという問題点があった。
【０００５】
本発明は、このような問題点を解決するためになされたものであり、電動送風機の操作に関係のない操作スイッチにより、フィルタの塵埃を除去する塵埃除去手段を制御するにより使い勝手を向上させることを可能にした電気掃除機を提供することを目的とする。
【課題を解決するための手段】
【０００６】
本発明に係る電気掃除機は、集塵部及び電動送風機を内蔵する掃除機本体と、前記集塵部に設けられたフィルタと、前記フィルタに付着した塵埃を除去する塵埃除去手段と、床用吸込具と、前記掃除機本体と前記床用吸込具とを接続するパイプユニットと、前記パイプユニットに配設され、把持部と各種の操作スイッチを備えた操作部と、前記電動送風機の停止状態において、前記操作スイッチの内、前記電動送風機の動作に直接関係のない所定の操作スイッチが押下されると、前記塵埃除去手段を動作させる制御手段とを備えたものである。そして、前記床用吸込具は、回転ブラシ及び前記回転ブラシを回転駆動させる駆動モータを内蔵し、前記操作スイッチは、前記駆動モータを制御するためのパワーブラシスイッチを備え、前記制御手段は、前記電動送風機が動作状態において前記パワーブラシスイッチが押下されると前記駆動モータを制御し、前記電動送風機が停止状態において前記パワーブラシスイッチが押下されると前記塵埃除去手段を動作させる。
【発明の効果】
【０００７】
本発明によれば、電動送風機の停止状態において、操作スイッチ部の内、電動送風機の動作に直接関係のない所定の操作スイッチが押下されると塵埃除去手段を動作させるようにしており、このため、電気掃除機の使い勝手としては違和感がなく、また、従来の切スイッチのように誤って操作したりする虞がなく、使い勝手が従来のものに比べて向上したものとなっている。
【発明を実施するための最良の形態】
【０００８】
図１（Ａ）（Ｂ）は本発明の一実施の形態に係る電気掃除機の全体構成を示す説明図で及び操作部の操作スイッチ部の拡大図である。後述の集塵部や電動送風機などを内蔵した掃除機本体１の前面側に設けた吸込み口には、蛇腹状のホース６１の一端が着脱可能に接続されており、ホース６１の他端には操作部６３を有する手元ハンドル６２が設けられている。そして、手元ハンドル６２には伸縮自在の延長管６４の一端が着脱可能に接続されており、延長管６４の他端には床用吸込み具６５が着脱可能に接続されている。この床用吸込み具６５には、点線で示す回転ブラシ６９及び本発明の駆動モータに相当する床ブラシ用モータ１０８が内蔵されている。なお、図１の蛇腹状のホース６１、手元ハンドル６２及び延長管６４は本発明のパイプユニット７０を構成している。
【０００９】
操作部６３には、把持部６６及び操作スイッチ部６７が配設されている。操作スイッチ部６７は、図１（Ｂ）に示されるように、電動送風機の切スイッチ６７ａ、電源スイッチとしても機能する運転モードスイッチ（強中弱）６７ｂ、及びパワーブラシスイッチ６７ｃを備えている。これらのスイッチは従来の電気掃除機と同様な機能を果たすが、パワーブラシスイッチ６７ｃは、本発明の電動送風機の動作に直接関係のない操作スイッチ及び把持部６６から最も遠い位置に配設された操作スイッチに相当し、塵埃除去手段を構成している電動機４４（後述の図６、図１５参照）の駆動を制御する点に特徴がある。ここでは、まず、塵埃除去手段を内蔵した掃除機本体１の構成を説明し（図２〜図１７）、次いで、塵埃除去手段を構成する電動機４４の制御方法を動作説明をする（図１８〜図２２）。
【００１０】
図２は掃除機本体の斜視図、図３は図２の側面図、図４は図２の上蓋を開放した状態の斜視図、図５は図３の縦断面図、図６は図５のＡ−Ａ断面図である。
掃除機本体１は、円筒状の上ケース３及び有底円筒状の下ケース４からなる本体部２と、上面がゆるやかな円弧状に形成された上蓋５とからなり、上蓋５の後部側はヒンジ６（図５）を介して本体部２に連結され、本体部２の上面開口部を開閉する。７は上蓋５をロックするラッチの解除ボタンである。
【００１１】
１０は本体部２の前面側に設けられて塵埃等を含む空気の吸込み口８に連通するホース接続口１１、及びその両側から斜め上方に延設された門型のハンドル１２からなり、本体部２と一体的に設けられたハンドル部材である。１３は本体部２の後面側に設けた延設部で、その後面側には排気口１４が設けられている。１５はコードリール５２（図５）に巻かれたコード（図にはプラグが示してある）、１６は本体部２の底面に設けた複数の車輪である。なお、図４の１０１は除塵動作モード選択スイッチ（レバー）であり、自動動作モード又は手動動作モードの何れかが選択できるように構成されており、例えば初期状態においては自動動作モードに設定されている。
【００１２】
本体部２内の前面側には、着脱可能に集塵部２０が収容されており、この集塵部２０は、図７〜図１１に示すように、前面側が本体部２の前面側内壁にほぼ対応した形状に形成されて、その下部には本体部２の吸込み口８に連通する集塵部吸込み口２１が設けられており、後部側には後壁２２が設けられている。
２３は一方の側に設けられて集塵部吸込み口２１に連通する集塵室、２４は後壁２２の後部側（集塵室２３の下流側）に設けられて集塵室２３と連通し、下部に細塵室２４ａが設けられた二次フィルタ室で、集塵室２３と二次フィルタ室２４との間には、比較的大きい塵埃等を捕集する一次フィルタ２５が着脱可能に設けられている。そして、集塵室２３の外周には、ヒンジ２６ａ（図１２）に連結されて集塵室２３を開閉する扉２６が設けられている。２６ｂは扉２６をロックするロック部である。
【００１３】
２７は上面に設けられた起倒自在のハンドルで、集塵部２０を本体部２内に収容してハンドル２７を倒すと集塵部２０が本体部２にロックされ、集塵部２０を取り出すためにハンドル２７を起こすと、ロックが解除されるようになっている。
【００１４】
３０は二次フィルタ室２４内に着脱かつ回動可能に配設された二次フィルタで、図１２に示すように、リング状の外枠、その中心部に位置するボス３３、このボス３３と外枠との間に設けられた突起３４ａを有する複数のリブ３４からなる枠体３１と、枠体３１の一部に設けられてばね（図示せず）で付勢された突起部３４ｂと、枠体３１の前面側に設けられて、一次フィルタ２５を通過した微細な塵埃（以下、細塵という）を捕集するプリーツフィルタ３５とからなっている。
【００１５】
このプリーツフィルタ３５は、図１３に示すように、フィルタ濾材をアコーディオン状、つまりプリーツ状に折り畳んで複数の折り目３６を平行に設けて形成したもので、折り目３６の間には傾斜面からなり上流側に開口する開口部３７が設けられている。
【００１６】
このような枠体３１とその前面側に設けたプリーツフィルタ３５からなる二次フィルタ３０は、プリーツフィルタ３５を前面側（上流側）にして、そのボス３３が集塵部２０の後壁２２に設けた支持軸２８（図１０）に、着脱かつ回動可能に嵌合され、二次フィルタ室２４内に配設される。なお、図９に示すように、プリーツフィルタ３５の下部には細塵室２４ａを開閉するシャッタ部３５ａが設けられており、また、後述の図１８、図２０に示すように、二次フィルタ３０の回動範囲を規制するために、二次フィルタ室２４の内壁には所定の間隔（例えば、９０°）でストッパ２９ａ，２９ｂが設けられており、二次フィルタ３０の外枠３２には、このストッパ２９ａ，２９ｂに当接する突起部３８が設けられている。
【００１７】
４０は二次フィルタ３０の後部側（下流側）において、集塵部２０に設けた歯車で、図１２、図１４、図１５に示すように、中心部に設けたボス４１が、二次フィルタ３０のボス３３が嵌合された支持軸２８に回転自在に嵌合されている。そして、二次フィルタ３０には、二次フィルタ３０の枠体３１に設けた突起部３４ｂと、歯車４０に設けた複数の突起４０ａとによって構成されたクラッチ４２により歯車４０の回動力が伝達されるようになっており、また二次フィルタ３０側の面には、ばね（図示せず）に付勢されて二次フィルタ３０に設けた突起３４ａに当接する除塵子４３が設けられている。４４は本体部２に設けられて歯車４０を駆動する電動機（図６）で、電動機４４の出力歯車４５の回転は、上蓋５に設けた中間歯車４６（図７）を介して歯車４０に伝達される。
【００１８】
このような歯車４０の回転は、クラッチ４２を介して二次フィルタ３０に伝達されて二次フィルタ３０を回転させる。しかしながら、二次フィルタ３０に大きな抵抗（負荷）が作用すると、クラッチ４２が滑って電動機４４は回転するが、その回転は二次フィルタ３０には伝達されないようになっている。なお、この歯車４０は、本体部２に設けてもよい。なお、上記の電動機４４、出力歯車４５、歯車４０及び除塵子４３及びフィルタ３０の突起３４ａは本発明の塵埃除去手段７１（図１５）を構成している。
【００１９】
５０は歯車４０の下流側において本体部２内に設けられた電動送風機、５１は電動送風機５０の下流側に配置された制御部、５２は電動送風機５０の下部に設けたコードリールである。
【００２０】
図１６は制御部５１の構成及びその入出力の関係を示したブロック図である。この制御部５１は、操作スイッチ部判定手段１０２、ＣＰＵ１０３、除塵動作モード判定手段１０４、記憶装置１０５、電動送風機駆動手段１０６、床ブラシ用モータ駆動手段１０７、床ブラシ用モータ１０８、及び電動機駆動手段１０９から構成されている。操作スイッチ部判定手段１０２は操作スイッチ部６７からの操作信号を取り込んで押下された操作スイッチを判定してＣＰＵ１０３に出力する。除塵動作モード判定手段１０４は除塵動作モード選択スイッチ１０１の設定状態を検出してＣＰＵ１０３に出力する。ＣＰＵ１０３は、操作スイッチ部判定手段１０２及び除塵動作モード判定手段１０４からの入力に基づいて所定の演算処理を行って電動送風機駆動手段１０６、床ブラシ用モータ駆動手段１０７又は電動機駆動手段１０９を介して、電動送風機５０、床ブラシ用モータ１０８又は電動機４４を駆動制御する。なお、ＣＰＵ１０３は、除塵動作モード判定手段１０４からの判定結果に基づいて記憶装置１０５のフラグ１０５ａをセット又はリセットする。
【００２１】
次に、上記のように構成された電気掃除機の動作について説明する。
図１において、電源コード１５を商用電源に接続し、床用吸込み具６５を床面上に位置させて手元ハンドル６２の操作部６３に設けられた運転モードスイッチ６７ｂを押下すると、掃除機本体１に設けた電動送風機５０が駆動される。これにより床用吸込み具６５から塵埃等を含む空気が吸引され、延長管６４、手元ハンドル６２、ホース６１を経て、掃除機本体１内に吸い込まれる。
【００２２】
掃除機本体１内に吸い込まれた塵埃等を含む空気は、図１７に示すように、集塵部吸込み口２１から吸い込まれて後壁２２に衝突し、風路２３ｂを経て後壁２２の側面に沿って集塵室２３に至り、一次フィルタ２５を経て二次フィルタ室２４に吸い込まれる。このとき、一次フィルタ２５により空気に含まれた比較的大きい塵埃等が捕捉されて集塵室２３内に堆積し、細塵を含む空気が二次フィルタ室２４に吸引される。このとき、電動機４４は駆動されておらず、二次フィルタ３０は、図１８に示されるように、その突起部３８が一方のストッパ２９ｂに当接し、プリーツフィルタ３５の折り目３６はほぼ水平に保持されている。なお、風路２３ｂに旋回気流を発生させ、遠心力を利用して空気と塵埃等を分離するサイクロン分離構造を設けてもよい。
【００２３】
二次フィルタ室２４に吸い込まれた空気に含まれる細塵は、二次フィルタ３０のプリーツフィルタ３５で捕集され、清浄化された空気は電動送風機５０や制御部５１等を冷却した後、後部に設けた排気口１４から外部に排出される。
【００２４】
掃除動作が終わって利用者により電動送風機の切スイッチ６７ａが押下されると、電動送風機５０が停止するが、このときの動作を図１９のフローチャートに従って説明する。
電動送風機の切スイッチ６７ａが押下されると、操作スイッチ部判定手段１０２がそれを検出して図１９の処理が開始し、ＣＰＵ１０３が電動送風機駆動手段１０６を介して電動送風機５０を停止させる（Ｓ１１）。そして、記憶装置１０５のフラグ１０５ａを読み込んで除塵動作モードが自動動作モードに設定されているかどうかを判定し（Ｓ１２）、自動動作モードに設定されていない場合にはそのまま終了する。自動動作モードに設定されている場合には、電動機駆動手段１０９を介して塵埃除去手段７１を構成している電動機４４を駆動する（Ｓ１３）。但し、この電動機４４の駆動を開始するとき（除塵処理を開始するとき）には、電動送風機５０が確実に停止状態になっていることが必要なので、電動送風機５０を停止させた後、所定時間経過後に電動機４４の駆動を開始させる。電動機４４が駆動されると歯車４０が回転し、クラッチ４２を介して二次フィルタ３０を図１８の矢印方向にほぼ９０°回転させる。そして、図２０に示すように、二次フィルタ３０に設けた突起部３８が他方のストッパ２９ａに当たって停止する。これにより、二次フィルタ３０は、プリーツフィルタ３５の折り目３６がほぼ垂直状態に保持され、プリーツフィルタ３５に付着した細塵が落下する。
【００２５】
このとき、二次フィルタ３０はその突起部３８がストッパ２８ａに当たって大きな抵抗が加わるため、クラッチ４２が滑って二次フィルタ３０には歯車４０の回転が伝達されない。しかし、電動機４４は引き続き駆動されて歯車４０を回転させるため、歯車４０に設けた除塵子４３が二次フィルタ３０の突起３４ａに当たって二次フィルタ３０に振動あるいは衝撃を与える。これにより、プリーツフィルタ３５に付着した細塵がさらに落下して、二次フィルタ室２４の下部に設けた細塵室２４ａ内に集積される。
【００２６】
図１９のフローチャートにおいて、ＣＰＵ１０３が所定時間（例えば、数秒間）が経過したかどうかを判定し（Ｓ１４）、所定時間経過したと判定すると、電動機４４を反対方向に回転し、二次フィルタ３０を反対方向に回転させてその突起部３８が他方のストッパ２９ｂに当接して停止し、電動機４４も停止する（Ｓ１５）。これにより、二次フィルタ３０は、図１８に示すように、プリーツフィルタ３５の折り目３６が再びほぼ水平状態に戻る。これにより、細塵室２４ａの開口部は、二次フィルタ３０のシャッタ部３５ａによって閉口されるため、細塵室２４ａに残った塵埃が二次フィルタ３０に再付着するのを防止することができる。
【００２７】
集塵部２０の集塵室２３等の塵埃が一杯になったときは、図７に示されるように、上蓋５を開放し、集塵部２０のハンドル２７を起こす。これによりロックが解除されるので集塵部２０を引き上げて取り出し、図２１に示されるように、集塵室２３の扉２６を開放して集塵室２３等に溜まった塵埃等を廃棄し、再び扉２６を閉じる。このとき、必要に応じて二次フィルタ３０を交換し、また、一次フィルタ２５に付着した大きな塵埃等を除去することができる。この場合、集塵部２０の取り出しにあたっては、歯車４０と電動機４４の出力歯車４５との間に設けた中間歯車４６は開放された上蓋５に設けられているので、集塵部２０を支障なく出し入れすることができる。
【００２８】
塵埃等の廃棄が終わったときは、集塵部２０を再び本体部２内に収容し、ハンドル２７を倒す。これにより、集塵部２０は本体部２にロックされる。そして、上蓋５を閉じれば、これに設けた中間歯車４６は、歯車４０と電動機４４の出力歯車４５との間に連結される。
【００２９】
次に、操作スイッチ部６７のパワーブラシスイッチ６７ｃが押下されたときの動作を図２２のフローチャートに従って説明する。
操作スイッチ部６７のパワーブラシスイッチ６７ｃが押下されると、操作スイッチ部判定手段１０２がそれを検出して図２２の処理が開始し、ＣＰＵ１０３が電動送風機５０が停止中であるかどうかを判定する（Ｓ２１）。電動送風機５０が停止中であると判定した場合には、次に、電動機４４が駆動中であるかどうかを判定する（Ｓ２２）。即ち、パワーブラシスイッチ６７ｃが押下された時点において除塵処理が行われているかどうかを判定する。除塵処理が行われていない場合には、次に、除塵動作モードが手動動作モードであるかどうかを判定する（Ｓ２３）、手動動作モードでない場合（自動動作モードの場合）にはそのまま終了するが、手動動作モードに設定されている場合には、電動機４４を駆動して上記の例と同様にして除塵処理を行う（Ｓ２４）。それを所定時間継続し（Ｓ２５）、所定時間経過したと判定すると、電動機４４を反対方向に回転し、二次フィルタ３０を反対方向に回転させるとその突起部３８が他方のストッパ２９ｂに当接して停止し、電動機４４も停止し除塵処理が終了する（Ｓ２６）。
【００３０】
また、上記の判定（Ｓ２２）において電動機４４が動作中であると判定した場合、即ち除塵処理が行われていると判定した場合には除塵処理を終了させるために上記の場合（Ｓ１５）と同様にして電動機４４を反転駆動し、フィルタ３０を元の位置に戻す（Ｓ２７）。このようにして除塵処理中（自動動作モード及び手動動作モードの何れの場合においても）に操作スイッチ部６７のパワーブラシスイッチ６７ｃが押下されると除塵処理を終了する。
【００３１】
また、上記の判定（Ｓ２１）において、電動送風機５０が動作中であるという判定がなされた場合には、パワーブラシスイッチ６７ｃの本来の機能、即ち、床ブラシ用モータ１０８の駆動又は停止制御を行うことになる（Ｓ２８）。
【００３２】
以上のように本実施の形態においては、電動送風機５０が停止している状態で、除塵処理をしておらず、また、除塵動作モードが手動動作モードに設定されている場合に、電動送風機５０の動作に関係のない操作スイッチであるパワーブラシスイッチ６７ｃが押下されると、除塵処理を開始するようにしており、操作スイッチ部６７の操作に違和感がなく、使い勝手の良いものとなっている。
また、自動動作モード又は手動動作モードにおいて除塵処理をしているときに、パワーブラシスイッチ６７ｃが押下されると除塵処理を終了させるようにしており、任意に除塵処理を終了させることができるので、この点からも使い勝手の良いものとなっている。
また、従来のように電動送風機の切ボタン（切ボタンは把持部から最も近い位置にあり操作し易い位置に配置されている）により除塵動作を開始させるようにした場合には、例えば切ボタンを誤って連打した場合には電動送風機の停止に続いて塵埃処理が利用者の意図に関係なく開始することになる。しかし、本実施の形態においては、除塵処理の開始が電動送風機の動作に関係のない操作スイッチであり、且つ、把持部６６から最も遠い位置にあるパワーブラシスイッチ６７ｃの押下により塵埃処理が開始する（手動動作モードの場合）ようにしたので、誤操作の虞が少なく、この点からも使い勝手の良いものとなっている。
【００３３】
なお、上記の実施の形態においては、電動送風機５０の動作に関係のない所定のスイッチ或いは把持部６６から最も遠い位置にある操作スイッチの例としてパワーブラシスイッチ６７ｃの例を挙げたが、本発明はそのスイッチに限定されるものではなく、例えば操作スイッチ部６７に図１（Ｂ）に示された操作スイッチ６７ａ〜６７ｃ以外のスイッチが配設された場合にはそのスイッチを適用するようにしても良い。
【００３４】
また、図２２のフローチャートの判定処理（Ｓ２３）において手動動作モードではないとき（即ち、自動動作モードのとき）にはそのまま処理を終了する例について説明したが、判定処理（Ｓ２３）を省略して、自動動作モードのときにおいても除塵処理を開始させるようにしても良い。
【００３５】
以上説明したように、本発明に係る電気掃除機は、集塵部及び電動送風機を内蔵する掃除機本体と、集塵部に設けられたフィルタと、フィルタに付着した塵埃を除去する塵埃除去手段と、床用吸込具と、掃除機本体と床用吸込具とを接続するパイプユニットと、パイプユニットに配設され、把持部と各種の操作スイッチとを備えた操作部と、制御手段とを備え、制御手段が、電動送風機の停止状態において、操作スイッチの内、電動送風機の動作に直接関係のない所定の操作スイッチが押下されると塵埃除去手段を動作させ、或いは塵埃除去手段の動作状態において、前記の所定の操作スイッチが押下されると塵埃除去手段の動作を停止させるようにしたので、電気掃除機の使い勝手としては違和感がなく、また、従来の切スイッチのように誤って操作したりする虞がなく、使い勝手が従来のものに比べて向上したものとなっている。
【００３６】
また、制御手段によって、所定の操作スイッチとして、把持部から最も遠い位置にある操作スイッチが押下されると塵埃除去手段を動作又は停止させるようにしたので、操作スイッチの中でも比較的操作のしづらい位置に配置されることになり、逆に操作をする場合には確信をもってそのスイッチを押すことになるため、使用者のより確実な誤動作の防止が可能になる。
【００３７】
また、床用吸込具が、回転ブラシ及び回転ブラシを回転駆動させる駆動モータを内蔵し、操作スイッチが、駆動モータを制御するためのパワーブラシスイッチを備え、制御手段において、電動送風機が動作状態のときにパワーブラシスイッチが押下されると駆動モータを動作制御し、電動送風機が停止状態のときにパワーブラシスイッチが押下されると塵埃除去手段を動作させるようにし、或いは、塵埃除去手段が動作状態のときにパワーブラシスイッチが押下されると塵埃除去手段の動作を停止させるようにしたので、電動送風機の駆動−停止の動作を制御するスイッチと兼用することなく除塵動作の駆動、停止を行うためのスイッチを設けることができる上、使用者が違和感を感じることのないスイッチの兼用が可能となり、掃除機の使い勝手が向上できる。また、操作スイッチを配置するための限られたスペースの中ですっきりとしたスイッチ配置を実現できる、或いは、装置の大型化を防止することができる。
【００３８】
また、塵埃除去手段を電動送風機の動作停止後に自動的に動作させる自動動作モード又は手動により動作させる手動動作モードの何れかが設定される除塵動作モードを備え、制御手段は、所定の操作スイッチが押下されると、除塵動作モードの設定内容に関係なく、塵埃除去手段を動作又は停止させるようにしたので、普段は使用者の好みに応じて除塵動作の終了後、自動で行われるように（自動動作モード）或いは逆に自動で行われないよう（手動操作モード）に設定しておきながら、吸込み力の低下が感じられたときなど、使用者が意図的に除塵を行いたいときにはモード設定に関係なく、除塵動作を行わせることが可能になり、いちいちモード設定を切り替えるなどの手間がいらなくなる。或いは、自動動作モードに設定されている場合において、電動送風機の動作停止後に自動的に除塵動作が行われているときにおいても、所定の操作スイッチを押下することにより任意に除塵動作を停止させることができる。また、その所定の操作スイッチの押下を電動送風機の動作停止直後に行うことによって除塵動作を開始させないようにし、実質的に自動動作モードを一時的に解除することもできる。
【図面の簡単な説明】
【００３９】
【図１】本発明の一実施の形態に係る電気掃除機の掃除機本体の斜視図及び操作スイッチの説明図である。
【図２】図１の電気掃除機の掃除機本体の斜視図である。
【図３】図２の側面図である。
【図４】図２の上蓋を開放した状態の斜視図である。
【図５】図３の縦断面図である。
【図６】図５のＡ−Ａ断面図である。
【図７】掃除機本体から集塵部を引き出した状態を示す斜視図である。
【図８】集塵部の斜視図である。
【図９】図８のＢ−Ｂ断面図である。
【図１０】図８の平断面図である。
【図１１】図８の扉板を除去した状態を示す斜視図である。
【図１２】図８の背面図である。
【図１３】図１２のプリーツフィルタの説明図である。
【図１４】図１２の要部拡大図である。
【図１５】二次フィルタとこれを回転させる歯車との関係を示す説明図である。
【図１６】空気を吸引した集塵部の作用説明図である。
【図１７】制御部の詳細を示したブロック図である。
【図１８】二次フィルタの作用説明図である。
【図１９】電動送風機の切スイッチを押下したときの処理を示すフローチャートである。
【図２０】二次フィルタの作用説明図である。
【図２１】集塵室に溜まった塵埃等を廃棄する状態の説明図である。
【図２２】パワーブラシスイッチを押下したときの処理を示すフローチャートである。
【符号の説明】
【００４０】
１  掃除機本体、２  本体部、５  上蓋、２０  集塵部、２３  集塵室、２４  二次フィルタ室、２５  一次フィルタ、２６  集塵室の扉、２７  ハンドル、２８  支持軸、２９ａ，２９ｂ  ストッパ、３０  二次フィルタ、３５  プリーツフィルタ、３６  折り目、３７  開口部、３８  突起部、４０  歯車、４２  クラッチ、４３  除塵子、４４  電動機、４６  中間歯車、５０  電動送風機、５１  制御部、６１  ホース、６２  手元ハンドル、６３  操作部、６４  延長管、６５  床用吸込み具、６６  把持部、６７  操作スイッチ部。
【図１】
0004980170.tif 000002
【図２】
0004980170.tif 000003
【図３】
0004980170.tif 000004
【図４】
0004980170.tif 000005
【図５】
0004980170.tif 000006
【図６】
0004980170.tif 000007
【図７】
0004980170.tif 000008
【図８】
0004980170.tif 000009
【図９】
0004980170.tif 000010
【図１０】
0004980170.tif 000011
【図１１】
0004980170.tif 000012
【図１２】
0004980170.tif 000013
【図１３】
0004980170.tif 000014
【図１４】
0004980170.tif 000015
【図１５】
0004980170.tif 000016
【図１６】
0004980170.tif 000017
【図１７】
0004980170.tif 000018
【図１８】
0004980170.tif 000019
【図１９】
0004980170.tif 000020
【図２０】
0004980170.tif 000021
【図２１】
0004980170.tif 000022
【図２２】
0004980170.tif 000023